(57)【要約】【課題】眼鏡フレームのずれ落ちを防止すると共に、眼鏡フレームに取り付けられた状態で、該眼鏡フレームを装着者から外す際に髪の毛が絡まることが抑制され、且つ、種々の眼鏡フレームに好適に用いることができる眼鏡取り付け具、及び、該眼鏡取り付け具と眼鏡フレームとを備える眼鏡フレームセットを提供すること。【解決手段】眼鏡フレーム６に脱着可能な眼鏡取り付け具１であって、耳の裏側に沿うように湾曲する湾曲部材２と、湾曲部材２と揺動可能に取り付けられ、耳の裏側に当接可能な耳当接部３１を有する耳当て部材３と、湾曲部材２の耳当て部材３が取り付けられる部位２１より前方にある所定部２２と耳当接部３１の前端部３１ａとを連結する可撓性の絡み防止部材４と、湾曲部材２の上面又は側面に設けられ、テンプル６１が脱着可能に嵌合する取付部材５とを備える眼鏡取り付け具１及び、該眼鏡取り付け具１と眼鏡フレーム６Ａとを備える眼鏡フレームセット９Ａを提供する。【選択図】図１
2010072511.tif 000002
【特許請求の範囲】
【請求項１】
レンズを保持する前枠と、前記前枠の両端から後方に延出する一対のテンプルとを備える眼鏡フレームに脱着可能な眼鏡取り付け具であって、
耳の裏側に沿うように湾曲する湾曲部材と、
軸部材を介して前記湾曲部材と揺動可能に取り付けられ、耳の裏側に当接可能な耳当接部を有する耳当て部材と、
前記湾曲部材の前記耳当て部材が取り付けられる部位より前方にある所定部と前記耳当接部の前端部とを連結する可撓性の絡み防止部材と、
前記湾曲部材の上面又は側面に設けられ、前記テンプルが脱着可能に嵌合する取付部材とを備えることを特徴とする眼鏡取り付け具。
【請求項２】
前記取付部材は、前記湾曲部材の側面に設けられ、前記テンプルが脱着可能に嵌合するように下方に開口された凹溝を有することを特徴とする請求項１に記載の眼鏡取り付け具。
【請求項３】
レンズを保持する前枠、及び、前記前枠の両端から後方に延出する一対のストレートテンプルを有する眼鏡フレームと、
前記ストレートテンプルが脱着可能に嵌合する請求項１又は２に記載の眼鏡取り付け具とを備えることを特徴とする眼鏡フレームセット。
【請求項４】
レンズを保持する前枠、及び、前記前枠の両端から後方に延出する一対のテンプルを有する眼鏡フレームと、
前記テンプルの内側面に設けられ、挿入孔を有する被挿入部材と、
前記挿入孔に挿脱可能に挿入される挿入部材を有する眼鏡取り付け具とを備え、
前記眼鏡取り付け具は、
前記挿入部材に取り付けられ、耳の裏側に沿うように湾曲する湾曲部材と、
軸部材を介して前記湾曲部材と揺動可能に取り付けられ、耳の裏側に当接可能な耳当接部を有する耳当て部材と、
前記湾曲部材の前記耳当て部材が取り付けられる部位より前方にある所定部と前記耳当接部の前端部とを連結する可撓性の絡み防止部材とを有することを特徴とする眼鏡フレームセット。
【発明の詳細な説明】
【技術分野】
【０００１】
本発明は、眼鏡フレームのずれ落ちを防止すると共に、眼鏡フレームに取り付けられた状態で、該眼鏡フレームを装着者から外す際に髪の毛が絡まることが抑制された眼鏡取り付け具、及び、該眼鏡取り付け具と眼鏡フレームとを備える眼鏡フレームセットに関する。
【背景技術】
【０００２】
上述のような眼鏡取り付け具が特許文献１において開示されている。図８に示すように、特許文献１に記載の眼鏡取り付け具１００は、クリップ部１０１と、耳当接部１０３と、絡み防止部材１０６とを備える。クリップ部１０１は、眼鏡フレーム２００のテンプル２０１後部に脱着可能に取り付けられる。耳当接部１０３は、軸部材１０２を介してクリップ部１０１と揺動可能に取り付けられ、装着者の耳の裏側に当接することが可能とされている。絡み防止部材１０６は、可撓性を有し、一端が耳当接部１０３の前端部１０４に連結され、他端がテンプル２０１のクリップ部１０１が取り付けられる部位２０２より前方にある所定部２０３にクリップ部１０５等によって脱着可能に取り付けられる。図９において矢印Ａで指し示すように、眼鏡取り付け具１００のクリップ部１０１、１０５は、耳当接部１０３の前端部１０４をテンプル２０１側に押し付けた時に、絡み防止部材１０６がテンプル２０１に沿い、耳当接部１０３が耳の裏側に当接する姿勢になるようなテンプル２０１の部位に取り付けられる。
【０００３】
眼鏡取り付け具１００が取り付けられた眼鏡フレーム２００は、眼鏡取り付け具１００の耳当接部１０３を耳に掛け、耳当接部１０３の前端部１０４を耳でテンプル２０１側に押し付けることで装着することができる。耳当接部１０３の前端部１０４をテンプル２０１側に押し付けると、絡み防止部材１０６がテンプル２０１に沿い、耳当接部１０３が耳の裏側に当接する姿勢になる。絡み防止部材１０６がテンプル２０１に沿うことで、眼鏡取り付け具１００を取り付けても眼鏡フレーム２００を違和感無く装着できる。また、耳当接部１０３が耳の裏側に当接する姿勢になることで、耳当接部１０３が耳にしっかり保持される。
【０００４】
このような眼鏡取り付け具１００が眼鏡フレーム２００のずれ落ちを防止できるのは以下の通りである。眼鏡取り付け具１００が取り付けられた眼鏡フレーム２００は、図９において矢印Ａで指し示すように装着された状態において、眼鏡フレーム２００の前枠２０４がずれ落ちようとすると、前枠２０４から延出されたテンプル２０１がずれ上がろうとし、眼鏡取り付け具１００の耳当接部１０３が上方へ移動しようとする。耳当接部１０３が上方へ移動しようとすると、軸部材１０２を中心として耳当接部１０３は前回り方向（図９において左回り方向）に回転しようとする。このとき、耳当接部１０３の前端部１０４が耳の裏側を押圧する力が大きくなり、その結果、耳当接部１０３と耳の裏側との相対的な移動が阻止され、テンプル２０１のずれ上がりが阻止される。このように、眼鏡取り付け具１００は、眼鏡フレーム２００のずれ落ちを防止することができる。
【０００５】
また、図９において矢印Ａで指し示すように装着された眼鏡フレーム２００を装着者から外す際に、眼鏡取り付け具１００に髪の毛が絡むことが抑制されるのは以下の通りである。図９において矢印Ａで指し示すように装着された眼鏡フレーム２００は、図９において矢印Ｂで指し示すように、テンプル２０１を上方に持ち上げることによって装着者から外すことができる。眼鏡取り付け具１００が取り付けられた眼鏡フレーム２００においては、テンプル２０１の所定部２０３と眼鏡取り付け具１００の耳当接部１０３の前端部１０４とが絡み防止部材１０６によって連結されている。このため、眼鏡フレーム２００を装着者から外すためにテンプル２０１を上方に持ち上げても、テンプル２０１の所定部２０３と眼鏡取り付け具１００の耳当接部１０３の前端部１０４との間を通って矢印Ｘ方向から耳当接部１０３のテンプル２０１が取り付けられる部位に髪の毛が入り込み難い。このように髪の毛が入り込み難いため、眼鏡フレーム２００を装着者から外す際に眼鏡取り付け具１００に髪の毛が絡まることが抑制される。
【特許文献１】特許３５２６５７１号公報
【発明の開示】
【発明が解決しようとする課題】
【０００６】
眼鏡フレーム２００におけるテンプル２０１後部の下方への曲率は様々である。眼鏡フレーム２００に備えられるテンプル２０１としては、図１０（ａ）に示すように後部の下方への曲率が比較的大きいものや、図１０（ｂ）に示すように後部の下方への曲率が比較的小さいものや、後部の下方への曲率が０又は略０の不図示のストレートテンプルが挙げられる。図１０（ａ）及び（ｂ）に示すように、同じ眼鏡取り付け具１００が取り付けられたテンプル２０１後部の曲率が異なる眼鏡フレーム２００を装着すると、絡み防止部材１０６がテンプル２０１に沿うため、眼鏡フレーム２００を装着したときにおける耳当接部１０３の前端部１０４の位置は、テンプル２０１後部の下方への曲率に影響される。また、軸部材１０２を介して耳当接部１０３が揺動可能に取り付けられるクリップ部１０１、即ち、耳当接部１０３の揺動の中心となる部位は、テンプル２０１後部に取り付けられる。従って、耳当接部１０３の揺動の中心となる部位の位置も、テンプル２０１後部の下方への曲率に影響される。よって、眼鏡フレーム２００を装着したときにおいては、耳当接部１０３の前端部１０４と耳当接部１０３の揺動の中心となる部位との位置関係（耳当接部１０３の姿勢）がテンプル２０１後部の下方への曲率によって変わる恐れがある。
【０００７】
耳当接部１０３の姿勢によっては、耳当接部１０３の全体が耳に当接せず、耳当接部１０３が耳にしっかり保持され難くなる恐れがある。このため、テンプル２０１後部の下方への曲率によっては、眼鏡フレーム２００がしっかり保持されない場合が生じる。よって、同じ眼鏡取り付け具１００を、テンプル２０１後部の曲率が異なる種々の眼鏡フレーム２００に好適に用いることができない。
【０００８】
本発明は、眼鏡フレームのずれ落ちを防止すると共に、眼鏡フレームに取り付けられた状態で、該眼鏡フレームを装着者から外す際に髪の毛が絡まることが抑制され、且つ、種々の眼鏡フレームに好適に用いることができる眼鏡取り付け具、及び、該眼鏡取り付け具と眼鏡フレームとを備える眼鏡フレームセットを提供することを課題とする。
【課題を解決するための手段】
【０００９】
本発明は、第１の手段として、レンズを保持する前枠と、前記前枠の両端から後方に延出する一対のテンプルとを備える眼鏡フレームに脱着可能な眼鏡取り付け具であって、耳の裏側に沿うように湾曲する湾曲部材と、軸部材を介して前記湾曲部材と揺動可能に取り付けられ、耳の裏側に当接可能な耳当接部を有する耳当て部材と、前記湾曲部材の前記耳当て部材が取り付けられる部位より前方にある所定部と前記耳当接部の前端部とを連結する可撓性の絡み防止部材と、前記湾曲部材の上面又は側面に設けられ、前記テンプルが脱着可能に嵌合する取付部材とを備えることを特徴とする眼鏡取り付け具を提供する。
【００１０】
第１の手段に係る眼鏡取り付け具は、眼鏡フレームのテンプルを取付部材に嵌合させることによって眼鏡フレームに取り付けることができる。第１の手段に係る眼鏡取り付け具が取り付けられた眼鏡フレームは、第１の手段に係る眼鏡取り付け具の耳当接部を耳の裏側に掛け、該耳当接部の前端部を耳で湾曲部材側に押し付けることで装着することができる。
【００１１】
第１の手段に係る眼鏡取り付け具と、眼鏡フレームのテンプルとは別の部材である。このため、眼鏡フレームのテンプル後部の下方への曲率に関わらず、眼鏡取り付け具の絡み防止部材が連結される湾曲部材の部位及び耳当て部材が取り付けられる湾曲部材の部位は自由に設計できる。絡み防止部材が連結される湾曲部材の部位及び耳当て部材が取り付けられる湾曲部材の部位は、耳当接部の前端部を湾曲部材側に押し付けた時に、絡み防止部材が湾曲部材に沿い、耳当接部が耳の裏側に当接する姿勢になるような湾曲部材の部位とすることができる。このような部位に絡み防止部材が連結され、耳当て部材が取り付けられた眼鏡取り付け具を眼鏡フレームに取り付け、耳当接部の前端部を湾曲部材側に押し付けて該眼鏡フレームを装着すると、絡み防止部材が湾曲部材に沿い、耳当接部が耳の裏側に当接する姿勢になる。湾曲部材は耳の裏側に沿うように湾曲しているため、絡み防止部材が湾曲部材に沿うことで、第１の手段に係る眼鏡取り付け具を取り付けても、眼鏡フレームを違和感無く装着できる。また、耳当接部が耳の裏側に当接する姿勢になることで、耳当接部が耳にしっかり保持される。
【００１２】
第１の手段に係る眼鏡取り付け具は、特許文献１に記載の眼鏡取り付け具と同様に、眼鏡フレームのずれ落ちを防止することができる。第１の手段に係る眼鏡取り付け具が取り付けられた眼鏡フレームの前枠がずれ落ちようとすると、該眼鏡フレームのテンプルはずれ上がろうとし、該テンプルがずれ上がろうとすると、第１の手段に係る眼鏡取り付け具の耳当接部が上方へ移動しようとする。耳当接部が上方へ移動しようとすると、耳当接部の前端部が耳の裏側を押圧する力が大きくなり、その結果、耳当接部と耳の裏側との相対的な移動が阻止され、テンプルのずれ上がりが阻止される。
【００１３】
また、第１の手段に係る眼鏡取り付け具は、特許文献１に記載の眼鏡取り付け具と同様に、眼鏡フレームに取り付けられた状態で、該眼鏡フレームを装着者から外す際に髪の毛が絡まることが抑制されている。第１の手段に係る眼鏡取り付け具が取り付けられた眼鏡フレームは、テンプルを上方に持ち上げることによって装着者から外すことができる。第１の手段に係る眼鏡取り付け具の湾曲部材と耳当接部の前端部とは、絡み防止部材で連結されている。このため、第１の手段に係る眼鏡取り付け具が取り付けられた眼鏡フレームを装着者から外すために、該眼鏡フレームのテンプルを上方に持ち上げても、眼鏡取り付け具の湾曲部材と耳当接部の前端部との間から湾曲部材と耳当て部材との取り付け部位に髪の毛が入り込み難く、これらに髪の毛が絡まることが抑制される。
【００１４】
第１の手段に係る眼鏡取り付け具は、種々の眼鏡フレームに好適に用いることができる。第１の手段に係る眼鏡取り付け具が取り付けられた眼鏡フレームは、上述のように、耳当接部の前端部を湾曲部材側に押し付けることで装着することができる。耳当接部の前端部を湾曲部材側に押し付けると、絡み防止部材が湾曲部材に沿う。絡み防止部材が湾曲部材に沿うため、眼鏡フレームを装着したときにおける耳当接部の前端部と絡み防止部材の湾曲部材に連結される部位との位置関係は、眼鏡フレームのテンプル後部の下方への曲率に影響されない。
【００１５】
また、上述のように、耳当接部の前端部を湾曲部材側に押し付けた時に、絡み防止部材が湾曲部材に沿い、耳当接部が耳の裏側に当接する姿勢になるような湾曲部材の部位に絡み防止部材を連結し、耳当て部材を取り付けた場合、絡み防止部材の湾曲部材に連結される部位と、耳当て部材の湾曲部材に取り付けられる部位との位置関係は一定である。
【００１６】
このため、このような部位に絡み防止部材を連結し、耳当て部材を取り付けた場合、眼鏡フレームを装着したときにおける耳当接部の前端部と耳当て部材の湾曲部材に取り付けられる部位（耳当接部の揺動の中心となる部位）との位置関係（耳当接部の姿勢）は、眼鏡フレームのテンプル後部の下方への曲率によって変わることはない。耳当接部の姿勢が変わることがなければ、耳当接部の全体が耳に当接し、眼鏡フレームが保持され易い。従って、第１の手段に係る眼鏡取り付け具は、種々の眼鏡フレームに好適に用いることができる。
【００１７】
以上のように、第１の手段に係る眼鏡取り付け具は、眼鏡フレームのずれ落ちを防止する共に、眼鏡フレームに取り付けられた状態で、該眼鏡フレームを装着者から外す際に髪の毛が絡まることが抑制され、且つ、種々の眼鏡フレームに好適に用いることができる。また、眼鏡フレームから第１の手段に係る眼鏡取り付け具を取り外せば、当該眼鏡フレームを通常の眼鏡フレームとして使用することができる。
【００１８】
好ましくは、第１の手段に係る眼鏡取り付け具は、前記取付部材は、前記湾曲部材の側面に設けられ、前記テンプルが脱着可能に嵌合するように下方に開口された凹溝を有する構成とされる。
【００１９】
かかる好ましい構成の眼鏡取り付け具は、下方に開口された凹溝にテンプルを嵌合させることで、眼鏡フレームに取り付けることができる。テンプルが凹溝に嵌合した状態で、眼鏡取り付け具がテンプルから下方に脱落しようとすると、凹溝の底部がテンプルに受け止められる。このため、かかる好ましい構成によれば、眼鏡取り付け具がテンプルから下方に脱落することが確実に防止される。
【００２０】
また、本発明は、第２の手段として、レンズを保持する前枠、及び、前記前枠の両端から後方に延出する一対のストレートテンプルを有する眼鏡フレームと、前記ストレートテンプルが脱着可能に嵌合する請求項１又は２に記載の眼鏡取り付け具とを備えたことを特徴とする眼鏡フレームセットを提供する。
【００２１】
ストレートテンプルは、前述のように後部の下方への曲率が０又は略０であり、顔部側面を押圧することで、眼鏡フレームを装着者に装着させるものである。第２の手段に係る眼鏡フレームセットが備える眼鏡フレームのテンプルはストレートテンプルである。このため、該眼鏡フレームに眼鏡取り付け具を取り付けた状態の第２の手段に係る眼鏡フレームセットは、眼鏡取り付け具の耳当接部を耳の裏側に掛けて該耳当接部の前端部を湾曲部材側に押し付ける共に、ストレートテンプルで顔部側面を押圧することによって装着することができる。このため、装着時においては、耳当接部が耳に保持されるだけでなく、ストレートテンプルが顔部側面を押圧するため、第２の手段に係る眼鏡フレームセットは、眼鏡フレームがよりずれ落ち難く、装着時の安定性がより高い。また、第２の手段に係る眼鏡フレームセットの眼鏡フレームから眼鏡取り付け具を取り外せば、当該眼鏡フレームを通常の眼鏡フレームとして使用することができる。
【００２２】
また、本発明は、第３の手段として、レンズを保持する前枠、及び、前記前枠の両端から後方に延出する一対のテンプルを有する眼鏡フレームと、前記テンプルの内側面に設けられ、挿入孔を有する被挿入部材と、前記挿入孔に挿脱可能に挿入される挿入部材を有する眼鏡取り付け具とを備え、前記眼鏡取り付け具は、前記挿入部材に取り付けられ、耳の裏側に沿うように湾曲する湾曲部材と、軸部材を介して前記湾曲部材と揺動可能に取り付けられ、耳の裏側に当接可能な耳当接部を有する耳当て部材と、前記湾曲部材の前記耳当て部材が取り付けられる部位より前方にある所定部と前記耳当接部の前端部とを連結する可撓性の絡み防止部材とを有することを特徴とする眼鏡フレームセットを提供する。
【００２３】
第３の手段に係る眼鏡フレームセットが備える眼鏡取り付け具は、眼鏡フレームのテンプルに設けられた被挿入部材の挿入孔に挿入部材を挿入することによって、眼鏡フレームに取り付けることができる。第３の手段に係る眼鏡フレームセットが備える眼鏡取り付け具は、眼鏡フレームへの取り付け構造、即ち、取付部材に代えて挿入部材を備えることを除いて、第１の手段に係る眼鏡取り付け具と同様の構成である。このため、第３の手段に係る眼鏡フレームセットが備える眼鏡取り付け具は、第１の手段に係る眼鏡取り付け具と同様の効果を得ることができる。
【００２４】
また、被挿入部材は、該眼鏡フレームのテンプルの内側面に設けられている。このため、被挿入部材は眼鏡フレームの外観に現れ難い。よって、眼鏡フレームから眼鏡取り付け具を取り外すことで、第３の手段に係る眼鏡フレームセットが備える眼鏡フレームを、あたかも被挿入部材が設けられていない通常の眼鏡フレームとして使用することができる。
【００２５】
尚、本発明における「前方」、「後方」及び「下方」とは、眼鏡フレーム又は眼鏡フレームセットを装着した装着者から見て「前方」、「後方」及び「下方」を意味する。本発明における「上面」とは、眼鏡フレーム又は眼鏡フレームセットを装着した装着者から見て「上側の面」を意味する。本発明における「側面」とは、眼鏡フレーム又は眼鏡フレームセットを装着した装着者から見て「左右方向外側の面」又は「左右方向内側の面」を意味する。本発明における「内側面」とは、眼鏡フレーム又は眼鏡フレームセットを装着した装着者から見て「左右方向内側の面」を意味する。
【発明の効果】
【００２６】
本発明は、眼鏡フレームのずれ落ちを防止する共に、眼鏡フレームに取り付けられた状態で、該眼鏡フレームを装着者から外す際に髪の毛が絡まることが抑制され、且つ、種々の眼鏡フレームに好適に用いることができる眼鏡取り付け具、及び、該眼鏡取り付け具と眼鏡フレームとを備える眼鏡フレームセットを提供することができる。
【発明を実施するための最良の形態】
【００２７】
＜実施形態１＞
図１は本実施形態に係る眼鏡取り付け具１の構成を示す図であり、図１（ａ）は眼鏡取り付け具１の側面図を示し、図１（ｂ）は図１（ａ）の矢印Ｙ方向から見た眼鏡取り付け具１の正面図を示し、図１（ｃ）は眼鏡取り付け具１を構成する取付部材５の拡大側面図を示す。
【００２８】
図１（ａ）に示すように、眼鏡取り付け具１は、湾曲部材２と、耳当て部材３と、絡み防止部材４と、取付部材５とを備える。
【００２９】
湾曲部材２は、耳の裏側に沿うように下方に湾曲している部材である。耳当て部材３は、耳の裏側に当接可能な耳当接部３１と、軸部材３２を介して湾曲部材２に揺動可能に取り付けられる揺動部３３とを有する部材である。絡み防止部材４は、湾曲部材２の耳当て部材３が取り付けられる部位２１より前方にある所定部２２と耳当接部３１の前端部３１ａとを連結する可撓性を有する部材である。
【００３０】
本実施形態においては、耳当て部材３と絡み防止部材４とはエラストマ等の弾性部材で一体的に構成されている。図１（ａ）に示すように、絡み防止部材４は、耳当て部材３に比べて細く、耳当て部材３に比べて撓み易い。
【００３１】
絡み防止部材４が連結される湾曲部材２の所定部２２及び耳当て部材３が取り付けられる湾曲部材２の部位２１は、耳当接部３１の前端部３１ａを湾曲部材２側に押し付けた時に、図１（ａ）に示すように、絡み防止部材４が湾曲部材２に沿い、耳当接部３１が耳の裏側に当接する姿勢になるような湾曲部材２の部位である。絡み防止部材４は、耳当接部３１の前端部３１ａを湾曲部材２側に押し付ける弾性力ｆＡが作用する姿勢と、耳当接部３１の前端部３１ａを湾曲部材２から離間させる弾性力ｆＢが作用する姿勢（図１（ａ）の破線で示す姿勢）とに切り替られるように構成されている。絡み防止部材４がこのように構成されることで、所定位置を力の切り替え点として当該力の切り替え点より耳当接部３１の前端部３１ａが湾曲部材２に近い側では、弾性力ｆＡが作用し、耳当接部３１の前端部３１ａが湾曲部材２側に押し付けられた状態に保持される。一方、力の切り替え点より耳当接部３１の前端部３１ａが湾曲部材２から離間した位置にあると、絡み防止部材４が撓むことによって、弾性力の作用する方向が反転し、弾性力ｆＢが作用して、耳当接部３１の前端部３１ａが湾曲部材２から離間した状態に保持される。
【００３２】
図１（ａ）及び（ｂ）に示すように、取付部材５は、湾曲部材２の内側面に設けられ、眼鏡フレームのテンプルが脱着可能に嵌合する部材である。取付部材５は、テンプルが脱着可能に嵌合するように下方に開口された凹溝５１を有する。凹溝５１を区画する取付部材５の内側面５２には、凹溝５１の内側に突出する突起５３が形成されている。図１（ｃ）に示すように、この突起５３は、前後方向に延びている。
【００３３】
図２は眼鏡取り付け具１が取り付けられた眼鏡フレーム６を示す図であり、図２（ａ）は眼鏡フレーム６の側面図を示し、図２（ｂ）は図２（ａ）のＣ−Ｃ断面図を示す。図２に示すように、眼鏡フレーム６は、レンズ６３を保持する前枠６２と、前枠６２の両端（左右方向両端）から後方に延出する一対のテンプル６１とを備えている。眼鏡取り付け具１の取付部材５が有する凹溝５１に眼鏡フレーム６のテンプル６１を嵌合させることによって、眼鏡取り付け具１を眼鏡フレーム６に取り付けることができる。
【００３４】
図３は、眼鏡取り付け具１が取り付けられた眼鏡フレーム６を装着したときの眼鏡フレーム６の概略側面図である。眼鏡取り付け具１が取り付けられた眼鏡フレーム６は、次のようにして装着することができる。まず、図１（ａ）の破線で示すように、耳当接部３の前端部３１ａを湾曲部材２から離間した状態にし、続いて、図３において矢印Ｅで指し示すように、耳当接部３１を上方から耳の裏側に掛け、テンプル６１を下ろして、耳当接部３１の前端部３１ａを耳で湾曲部材２側に押し付ける。耳当接部３１の前端部３１ａを耳で湾曲部材２側に押し付ける際に、耳当接部３１の前端部３１ａが上述の力の切り替え点まで移動すると、弾性力ｆＡによって、耳当接部３１の前端部３１ａが湾曲部材２側に押し付けられる。このように耳当接部３１の前端部３１ａが湾曲部材２側に押し付けられた状態では、図３において矢印Ｄで指し示すように、絡み防止部材４が湾曲部材２に沿い、耳当接部３１が耳の裏側に当接する姿勢となる。湾曲部材２は、耳の裏側に沿うように湾曲している。従って、絡み防止部材４が湾曲部材２に沿うことで、眼鏡取り付け具１を眼鏡フレーム６に取り付けても、眼鏡フレーム６を違和感無く装着できる。また、耳当接部３１が耳の裏側に当接する姿勢となることで、耳当接部３１が耳にしっかり保持される。
【００３５】
また、上述のように、眼鏡フレーム６を装着する際に耳当接部３１の前端部３１ａが力の切り替え点まで移動すると、弾性力ｆＡにより、絡み防止部材４が湾曲部材２に沿い、耳当接部３１が耳の裏側に当接する姿勢になる。このため、眼鏡フレーム６を装着する際には、絡み防止部材４が湾曲部材２に沿うまで、耳当接部３１の前端部３１ａを湾曲部材２側に耳で押し付けなくても、絡み防止部材４が湾曲部材２沿い、耳当接部３１が耳の裏側に当接する姿勢になる。よって、眼鏡フレーム６を装着する際においては、絡み防止部材４が湾曲部材２に容易に沿い、耳当接部３１を耳の裏側に当接する姿勢に容易になる。よって、眼鏡取り付け具１が取り付けられた眼鏡フレーム６は、容易に、違和感無く、且つ、しっかり装着することができる。
【００３６】
このように、装着された眼鏡フレーム６は、眼鏡取り付け具１によってずれ落ちが防止される。図３に示すように、眼鏡フレーム６の前枠６２がずれ落ちようとすると、前枠６２に延出されたテンプル６１はずれ上がろうとし、眼鏡取り付け具１の耳当て部材３の耳当接部３１を上方へ移動させようとする。そして、耳当て部材３の耳当接部３１が上方へ移動しようとすると、耳当接部３１は軸部材３２を中心として前回り方向（図３において左回り方向）に回転しようとする（図３において矢印Ｅで指し示すような状態になろうとする）。
【００３７】
このとき、耳当接部３１の前端部３１ａが耳の裏側を押圧する力が大きくなり、その結果、耳当接部３１と耳の裏側との相対的な移動が阻止され（図３において矢印Ｄで指し示す状態に戻ろうとし）、テンプル６１のずれ上がりが阻止される。このようにして、眼鏡取り付け具１によって眼鏡フレーム６のずれ落ちが防止される。
【００３８】
また、図３において矢印Ｄで指し示すように装着された眼鏡フレーム６は、図３において矢印Ｅで指し示すように、テンプル６１を上方に持ち上げることによって装着者から外すことができる。眼鏡取り付け具１の湾曲部材２と耳当接部３１の前端部３１ａとは、絡み防止部材４で連結されている。このため、眼鏡取り付け具１が取り付けられた眼鏡フレーム６を外すために、該眼鏡フレーム６のテンプル６１を上方へ持ち上げても、眼鏡取り付け具１の湾曲部材２と耳当接部３１の前端部３１ａとの間から湾曲部材２と耳当て部材３との取り付け部位（揺動部３３）に図３の矢印Ｗ方向から髪の毛が入り込み難く、揺動部３３に髪の毛が絡まることが抑制されている。
【００３９】
また、上述のように、本実施形態に係る眼鏡取り付け具１が取り付けられた眼鏡フレーム６が装着された状態においては、絡み防止部材４が湾曲部材２に沿う。絡み防止部材４が、湾曲部材２に沿うため、眼鏡フレーム６を装着したときの耳当接部３１の前端部３１ａと絡み防止部材４の湾曲部材２に連結される所定部２２との位置関係は、眼鏡フレーム６のテンプル６１後部の下方への曲率に影響されない。また、絡み防止部材４の湾曲部材２に連結される所定部２２と、耳当て部材３の湾曲部材２に取り付けられる部位２１との位置関係は一定である。このため、眼鏡フレーム６を装着したときの耳当接部３１の前端部３１ａと耳当て部材３の湾曲部材２に取り付けられる部位２１（耳当接部３１の揺動の中心となる部位）との位置関係（耳当接部３１の姿勢）は、眼鏡フレーム６のテンプル６１後部の下方への曲率によって変わることはない。
【００４０】
図４（ａ）は、後部の下方への曲率が比較的大きいテンプル６１を備える眼鏡フレーム６に、図４（ｂ）は、後部の下方への曲率が比較的小さいテンプル６１を備える眼鏡フレーム６に眼鏡取り付け具１を取り付けた場合を示す。図４（ａ）及び（ｂ）に示すように、耳当接部３１の前端部３１ａが湾曲部材２に押し付けられたときの各眼鏡取り付け具１の耳当接部３１の姿勢は、ストレートテンプルを有する眼鏡フレーム６に眼鏡取り付け具１を取り付けた場合（図３参照）と同じである。
【００４１】
このように、テンプル６１後部の下方への曲率によって耳当接部３１の姿勢が変わらないので、テンプル６１後部の下方への曲率によって耳当接部３１の全体が耳に当接しないことで、眼鏡フレーム６が保持され難くなることがない。従って、本実施形態に係る眼鏡取り付け具１は、種々の眼鏡フレームに好適に用いることができる。
【００４２】
また、眼鏡フレーム６を装着する際には、上述のように、弾性力ｆＡが働くことで、眼鏡フレーム６を装着した時は、耳当接部３１の姿勢が容易に耳の裏側に当接する姿勢になる。眼鏡フレーム６を装着した時の耳当接部３１の姿勢は、眼鏡フレーム６のテンプル６１後部の下方への曲率によって変わることがなく、このため、テンプル６１後部の下方への曲率によって眼鏡フレーム６が保持され難くなることがない。よって、眼鏡取り付け具１によれば、どのような下方への曲率のテンプル６１後部を有する眼鏡フレーム６であっても、容易に且つしっかり装着することができる。
【００４３】
以上のように、眼鏡取り付け具１は、眼鏡フレーム６のずれ落ちを防止する共に、眼鏡フレーム６に取り付けられた状態で、該眼鏡フレーム６を装着者から外す際に髪の毛が絡まることが抑制され、且つ、種々の眼鏡フレーム６に好適に用いることができる。
【００４４】
また、図２（ｂ）に示すように、眼鏡取り付け具１は、下方に開口された凹溝５１にテンプル６１を嵌合させることで、眼鏡フレーム６に取り付けることができる。テンプル６１が凹溝５１に嵌合した状態で、眼鏡取り付け具１がテンプル６１から下方に脱落しようとすると、凹溝５１の底部５４がテンプル６１に受け止められる。このため、眼鏡取り付け具１が、テンプル６１から下方に脱落することは確実に防止される。また、凹溝５１を区画する取付部材５の内側面５２には、前後方向に延びる突起５３が形成されている。突起５３が形成されることにより、凹溝５１の左右方向両側に位置する取付部材５の側面部全体を厚くすること無く、凹溝５１の左右方向の長さの最小距離（以下、「凹溝５１の幅」という）を短くすることができる。凹溝５１の幅を短くすることで、幅の小さなテンプル６１であっても、突起５３に挟持されることによって凹溝５１に嵌合することができる。また、取付部材５の側面部全体を厚くしなければ、該側面部を曲げ易く、凹溝５１の幅を拡げ易い。このため、凹溝５１の幅に比べて左右方向の長さが非常に長いテンプル６１であっても、凹溝５１の幅を拡げて、突起５３の間に移動させることができる。凹溝５１の幅を拡げて突起５３の間にテンプル６１を移動させれば、該テンプル６１は、突起５３に挟持されることによって凹溝５１に嵌合される。よって、突起５３を形成することで、幅の狭いテンプル６１であっても、幅の広いテンプル６１であっても凹溝５１に嵌合することができる。
【００４５】
図５は、眼鏡取り付け具１の正面図である。図５に示すように、取付部材５が設けられる湾曲部材２の部位は、図５（ａ）〜（ｉ）に示すように、湾曲部材２の内側面、外側面及び上面の何れであってもよい。図１（ｂ）に示す取付部材５と同様に湾曲部材２の内側面に取付部材５が設けられる場合、取付部材５が有する凹溝５１は、図５（ａ）に示すように、湾曲部材２から離間する側に開口されたものであっても、図５（ｂ）に示すように、上方に開口されたものであってもよい。また、湾曲部材２の外側面に取付部材５が設けられる場合、取付部材５が有する凹溝５１は、図５（ｃ）に示すように、下方に開口されたものであっても、図５（ｄ）に示すように、湾曲部材２から離間する側に開口されたものであっても、図５（ｅ）に示すように、上方に開口されたものであってもよい。また、湾曲部材２の上面に取付部材５が設けられる場合、取付部材５が有する凹溝５１は、図５（ｆ）に示すように、側方の一方側が開口されたものであっても、図５（ｇ）に示すように、側方の他方側が開口されたものであっても、図５（ｈ）に示すように、上方に開口されたものであってもよい。また、湾曲部材２の上面に取付部材５が設けられる場合、図５（ｊ）に示すように、取付部材５は、下方に開口された凹溝５１を有する本体部５５１と、該本体部５５１を湾曲部材２の上面から離間させる支持部５５２とを備えた構成であってもよい。
【００４６】
また、眼鏡取り付け具１が取り付けられる眼鏡フレーム６が備えるテンプル６１の種類は特に限定されるものでなく、図２及び３に示すようなストレートテンプルであってもよい。眼鏡取り付け具１が取り付けられる眼鏡フレーム６がストレートテンプル６１を備えていれば、眼鏡取り付け具１の耳当接部３１を耳の裏側に掛けて該耳当接部３１の前端部３１ａを湾曲部材２に押し付けると共に、ストレートテンプル６１で顔部側面を押圧することによって装着することができる。このように、ストレートテンプル６１を有していれば、装着時において、耳当接部３１が耳に保持されるだけでなく、ストレートテンプル６１で顔部側面が押圧されるため、眼鏡フレーム６がより一層ずれ落ち難く、装着時の安定性がより一層高い。
【００４７】
＜実施形態２＞
図６は本実施形態に係る眼鏡フレームセット９Ａの構成を示す図であり、図６（ａ）は本実施形態に係る眼鏡フレームセット９Ａの平面図を示し、図６（ｂ）は本実施形態に係る眼鏡フレームセット９Ａの側面図を示す。図６に示すように、本実施形態に係る眼鏡フレームセット９Ａは、眼鏡フレーム６Ａと、被挿入部材７Ａと、眼鏡取り付け具１Ａとを備える。
【００４８】
眼鏡フレーム６Ａは、レンズ６３Ａを保持する前枠６２Ａ、及び、前枠６２Ａの両端（左右両端）から後方に延出する一対のテンプル６１Ａを備える。被挿入部材７Ａは、それぞれのテンプル６１Ａの内側面に設けられている。内側面とは、左側のテンプル６１Ａにおいては、右側面であり、右側のテンプル６１Ａにおいては、左側面である。図６（ａ）の領域Ｑには、領域Ｐに示される眼鏡フレームセット９Ａの一部を拡大したものを示している。領域Ｑに示すように、被挿入部材７Ａは、挿入孔７１Ａを有する。挿入孔７１Ａは、前後方向に延びており、後方が開口されている。
【００４９】
図７は、眼鏡取り付け具１Ａの側面図である。図７に示すように、眼鏡取り付け具１Ａは、挿入孔７１Ａに挿脱可能に挿入される挿入部材８Ａを備えている。眼鏡取り付け具１Ａは、挿入部材８Ａを挿入孔７１Ａに挿入することで、眼鏡フレーム６Ａに取り付けることができる。本実施形態では、挿入部材８Ａは後述の湾曲部材２Ａの前端部から前方に延びる細長部材で形成されている。本実施形態では、挿入部材８Ａを挿入孔７１Ａに対して前後方向に移動させることで、眼鏡取り付け具１Ａを眼鏡フレーム６Ａに脱着することができる。眼鏡取り付け具１Ａは、上述の挿入部材８Ａを備えていること及び取付部材５を備えていないことを除いて実施形態１に係る眼鏡取り付け具１と同様の構成である。即ち、眼鏡取り付け具１Ａは、湾曲部材２Ａと、耳当て部材３Ａと、絡み防止部材４Ａとを有し、眼鏡フレーム１Ａへの取り付け構造を除いて、実施形態１に係る眼鏡取り付け具１と同様の構成である。
【００５０】
本実施形態に係る眼鏡取り付け具１Ａは、眼鏡フレーム１Ａへの取り付け構造を除いて、実施形態１に係る眼鏡取り付け具１と同様の構成であるので、眼鏡フレーム６Ａのずれ落ちを防止する共に、眼鏡フレーム６Ａに取り付けられた状態で、該眼鏡フレーム６Ａを装着者から外す際に髪の毛が絡まることが抑制され、且つ、種々の眼鏡フレーム６Ａに好適に用いることができる。
【００５１】
また、被挿入部材７Ａは、眼鏡フレーム６Ａのテンプル６１Ａの内側面に設けられる。このため、図６（ｂ）に示すように、被挿入部材７Ａは眼鏡フレーム６Ａの外観に現れ難い。よって、眼鏡取り付け具１Ａを取り外した状態では、眼鏡フレーム６Ａは、被挿入部材７Ａを備えない通常の眼鏡フレームとして使用することができる。
【図面の簡単な説明】
【００５２】
【図１】図１は実施形態１に係る眼鏡取り付け具の構成を示す図であり、図１（ａ）は眼鏡取り付け具の側面図を示し、図１（ｂ）は図１（ａ）の矢印Ｙ方向から見た眼鏡取り付け具の正面図を示し、図１（ｃ）は眼鏡取り付け具を構成する取付部材の拡大側面図を示す。
【図２】図２は実施形態１に係る眼鏡取り付け具が取り付けられた眼鏡フレームを示す図であり、図２（ａ）は該眼鏡フレームの側面図を示し、図２（ｂ）は図２（ａ）のＣ−Ｃ断面図を示す。
【図３】図３は、実施形態１に係る眼鏡取り付け具が取り付けられた眼鏡フレームを装着したときの眼鏡フレームの概略側面図である。
【図４】図４はテンプル後部の下方への曲率が異なっても耳当接部の姿勢が変わらないことを示す図であり、図４（ａ）はテンプル後部の下方への曲率が比較的大きな眼鏡フレームに眼鏡取り付け具が取り付けられた場合の耳当接部の姿勢を示し、図４（ｂ）はテンプル後部の下方への曲率が比較的小さな眼鏡フレームに眼鏡取り付け具が取り付けられた場合の耳当接部の姿勢を示す。
【図５】図５は、実施形態１に係る眼鏡取り付け具の正面図である
【図６】図６は実施形態２に係る眼鏡フレームセットの構成を示す図であり、図６（ａ）は実施形態２に係る眼鏡フレームセットの平面図を示し、図６（ｂ）は実施形態２に係る眼鏡フレームセットの側面図を示す。
【図７】図７は、実施形態２に係る眼鏡フレームセットの眼鏡取り付け具の側面図である。
【図８】図８は、従来の眼鏡取り付け具が取り付けられた眼鏡フレームの側面図である。
【図９】図９は、従来の眼鏡取り付け具が取り付けられた眼鏡フレームを装着したときの眼鏡フレームの概略側面図である。
【図１０】図１０は、従来の眼鏡取り付け具においてはテンプル後部の下方への曲率によって耳当接部の姿勢が変わることを示す図である。図１０（ａ）はテンプル後部の下方への曲率が比較的大きな眼鏡フレームに眼鏡取り付け具が取り付けられた場合の耳当接部の姿勢を示し、図１０（ｂ）はテンプル後部の下方への曲率が比較的小さな眼鏡フレームに眼鏡取り付け具が取り付けられた場合の耳当接部の姿勢を示す。
【符号の説明】
【００５３】
１、１Ａ…眼鏡フレーム、２、２Ａ…湾曲部材、３、３Ａ…耳当て部材、４、４Ａ…絡み防止部材、５…取付部材、６、６Ａ…眼鏡フレーム、６１、６１Ａ…テンプル、６２、６２Ａ…前枠、６３、６３Ａ…レンズ、７Ａ…被挿入部材、８Ａ…挿入部材、９Ａ…眼鏡フレームセット
【図１】
2010072511.tif 000003
【図２】
2010072511.tif 000004
【図３】
2010072511.tif 000005
【図４】
2010072511.tif 000006
【図５】
2010072511.tif 000007
【図６】
2010072511.tif 000008
【図７】
2010072511.tif 000009
【図８】
2010072511.tif 000010
【図９】
2010072511.tif 000011
【図１０】
2010072511.tif 000012